(57)【特許請求の範囲】
【請求項１】
建物の躯体を構成する外壁の上端部に屋根が設けられた建物において、前記外壁の上端部には、該上端部の内側面から前記建物の内側に向けて水平に張出してなる張出壁が、前記建物全体の平面視において環状に設けられており、前記張出壁の上面と、前記外壁の上端面とは面一とされ、前記屋根はこの面一とされた面上に設けられていることを特徴とする建物。
【請求項２】
請求項１に記載の建物において、前記張出壁が、複数の張出壁パネルを水平方向に接合することで構成され、前記張出壁パネルが矩形枠状をなす枠体と、この枠体の表裏両面に貼設された面材とを備え、前記張出壁パネルが前記外壁の上端部に固定されていることを特徴とする建物。
【請求項３】
請求項２記載の建物において、前記外壁が、複数の外壁パネルを接合することで構成され、該外壁パネルが矩形枠状をなす枠体と、この枠体の表裏両面に貼設された面材とを備え、前記外壁パネルには、前記張出壁パネルがそれらの枠体どうしを連結することで接合されていることを特徴とする建物。
【請求項４】
請求項１〜３のいずれかに記載の建物において、前記屋根が、複数の屋根パネルを接合することで構成され、該屋根パネルが矩形枠状をなす枠体と、この枠体の上面に貼設された面材とを備え、前記屋根パネルの下面には石膏ボードが貼設されていることを特徴とする建物。
【請求項５】
請求項４記載の建物において、前記屋根パネルの内部には、断熱材が充填されていることを特徴とする建物。
【発明の詳細な説明】
【０００１】
【発明の属する技術分野】
本発明は、屋根裏を大きな吹き抜け空間とすることができる建物に関するものである。
【０００２】
【背景の技術】
吹き抜けは、建物内に天井の高い部屋空間を形成可能とし、部屋に開放感を与えることができるため、最近では一般住宅の居間などに広く普及されている。
このような吹き抜けを形成する技術として、例えば、特開昭６０−１７０１２９号公報に記載の技術が知られている。
【０００３】
この技術は、下階建物ユニットの上部に上階建物ユニットを搭載し、該上階建物ユニットの床パネルに吹き抜け開口部を形成するもので、上階建物ユニットの床パネルを、前記吹き抜け開口部を壁パネルが立設されていない側縁側に開放するとともに、壁パネルが立設される少なくとも１つの側縁部を該壁パネルの内面よりも吹き抜け開口部の側に張出すようにしたものである。
この技術によれば、ユニット建物の上下階連結部の構造強度を損なうことなく、前記吹き抜け開口部を有する建物ユニットの使用によって、より広い吹き抜け空間を形成できるという効果がある。
【０００４】
【発明が解決しようとする課題】
しかしながら、上記の技術は、上階建物ユニットの床パネルに吹き抜け開口部を形成するようにしているので、この技術では、屋根裏を大きな吹き抜け空間とすることはできなかった。
一方、住宅等の建物において、地震等の際における水平方向に作用する外力により強く抗するために、例えば、屋根裏に床を形成し、この床を水平構面として前記水平方向に作用する外力に抗することが考えられる。しかし、床を水平構面とすると、屋根裏を吹き抜け空間とすることができないという不満があった。
【０００５】
本発明は上記事情に鑑みてなされたもので、水平方向に作用する外力に強く抗することができるとともに、屋根裏を吹き抜け空間とすることができる建物を提供することを目的としている。
【０００６】
【課題を解決するための手段】
上記目的を達成するために、本発明の請求項１の建物は、例えば図１〜図４に示すように、建物の躯体を構成する外壁１４の上端部に屋根１６が設けられた建物において、前記外壁１４の上端部に、該上端部の内側面から前記建物の内側に向けて水平に張出してなる張出壁２０を、前記建物全体の平面視において環状に設け、前記張出壁２０の上面と、前記外壁１４の上端面とは面一とされ、前記屋根はこの面一とされた面上に設けられているものである。
【００１１】
前記張出壁２０を、建物の平面視において環状に設けるとは、該張出壁２０を建物の外壁１４の内面に沿って該建物を囲むようにして設けることを意味する。したがって、建物が平面視において矩形状であれば、前記張出壁２０は四角環状に設けられ、建物が出隅や入隅を有する多角形状であれば、それに沿った多角環状に設けられる。
【００１２】
請求項１の建物においては、建物の外壁の上端部から該建物の内側に向けて水平に張出してなる環状の張出壁２０の内側が開口となり、これによって、屋根裏が吹き抜け空間となり、また、前記張出壁２０は外壁１４の内面において連続しているので、水平構面として機能し、これによって、水平方向に作用する外力に強く抗することになる。
【００１３】
請求項２の建物は、請求項１において、前記張出壁２０を、複数の張出壁パネル２１を水平方向に接合することで構成し、前記張出壁パネル２１を矩形枠状をなす枠体２１ａと、この枠体２１ａの表裏両面に貼設された面材２１ｂ,２１ｂとを備えた構成とし、該張出壁パネル２１を前記外壁１４の上端部に固定したものである。
【００１４】
前記張出壁パネル２１は、枠体２１ａと面材２１ｂ,２１ｂとを備えて構成するが、前記枠体２１ａ内に必要に応じて補強桟材を設けてもよい。また、前記枠体２１ａは、例えば、角材等からなる桟材を枠状に組み付けることによって構成し、面材２１ｂは合板等によって形成する。
前記張出壁パネル２１,２１どうしの接合は接着や釘打ち等によって行い、また張出壁パネル２１を外壁１４に固定する場合も、接着や釘打ち等によって行う。
【００１５】
請求項２の建物においては、請求項１と同様の作用効果が得られるのは勿論のこと、複数の張出壁パネル２１…を接合することで張出壁２０が容易に形成され、また、張出壁パネル２１を外壁１４の上端部に固定することで、環状の張出壁２０が外壁１４の上端部に容易に固定される。さらに、前記張出壁パネル２１が矩形枠状をなす枠体２１ａと、この枠体２１ａの表裏両面に貼設された面材２１ｂ,２１ｂとを備えた構成であるので、張出壁パネル２１自体が十分な強度を有し、よって該張出壁パネル２１によって構成された張出壁２０も十分な強度を有するものとなる。
【００１６】
請求項３の建物は、請求項２において、前記外壁１４を、複数の外壁パネル４を接合することで構成し、該外壁パネル４が矩形枠状をなす枠体４ａと、この枠体４ａの表裏両面に貼設された面材４ｂ,４ｂとを備え、該外壁パネル４に、前記張出壁パネル２１をそれらの枠体４ａ,２１ａどうしを連結することで接合したものである。
【００１７】
前記外壁パネル４は、枠体４ａと面材４ｂ,４ｂとを備えて構成するが、前記枠体４ａ内に必要に応じて補強桟材を設けてもよい。また、前記枠体４ａは、例えば、角材等からなる桟材を枠状に組み付けることによって構成し、面材４ｂは合板等によって形成する。
また、前記外壁パネル４の枠体４ａと、張出壁パネル２１の枠体２１ａとを連結する場合、外壁パネル４の上端部側面に、張出壁パネル２１の端面を当接してこれら当接部を接着材によって接合するとともに、外壁パネル４の枠体４ａと張出壁パネル２１の枠体２１ａとを釘打ちによって結合することによって行う。
【００１８】
請求項３の建物においては、請求項２と同様の作用効果が得られるのは勿論のこと、外壁１４を構成する外壁パネル４に、前記張出壁２０を構成する張出壁パネル２１をそれらの枠体４ａ,２１ａどうしを連結することで接合したので、外壁１４に張出壁２０が強固に接合される。
【００２１】
請求項４の建物は、請求項１〜３のいずれかにおいて、前記屋根１６を、複数の屋根パネル６…を接合することで構成し、該屋根パネル６が矩形枠状をなす枠体６ａと、この枠体６ａの上面に貼設された面材６ｂとを備え、前記屋根パネル６の下面に石膏ボード２３を貼設したものである。
【００２２】
前記屋根パネル６は、枠体６ａと面材６ｂとを備えて構成するが、前記枠体６ａ内に必要に応じて補強桟材を設けてもよい。また、前記枠体６ａは、例えば、角材等からなる桟材を枠状に組み付けることによって構成し、面材６ｂは合板等によって形成する。
また、屋根パネル６,６どうしの接合は接着や釘打ちにより行い、該屋根パネル６の軒先側の端部は、前記外壁パネル４の上端部に支持固定する。
【００２３】
請求項４の建物においては、請求項１〜３のいずれかと同様の作用効果が得られるのは勿論のこと、前記屋根パネル６の下面に石膏ボード２３を貼設したので、防火上好ましい構造となるとともに、石膏ボード２３によって屋根パネル６の内部が覆われるので、屋根裏が吹き抜け空間となっても、該屋根パネル６を下方から見上げた際に見映えがよい。
【００２４】
請求項５の建物は、請求項４において、前記屋根パネル６の内部に断熱材２４を充填したものである。断熱材２４としては、グラスウール等が好適に使用される。
【００２５】
請求項５の建物においては、請求項４と同様の作用効果が得られるのは勿論のこと、屋根パネル６の内部に断熱材２４を充填したので、屋根裏が吹き抜け空間となっても、屋根裏と建物外部との間の断熱効果を得ることができる。
【００２６】
【発明の実施の形態】
以下、図面を参照して本発明の実施の形態について説明する。
図１および図２は本発明に係る建物の第１実施形態例を示すもので、図１は該建物の概略構成を示す斜視図、図２は建物の縦断面図である。
これらの図に示す建物は、壁や床、屋根といった構成要素を予め工場にてパネル化しておき、施工現場でこれらのパネルを組み立てることによって構築された、いわゆるパネル工法による建物である。
【００２７】
前記建物は、基礎１上に１階の床パネル２を複数敷き込むとともに、床パネル２の端部において半土台３を設けたうえで、前記床パネル２上に１階の外壁パネル４を複数立設し、該外壁パネル４上に２階の床パネル２を複数敷き込むとともに、床パネル２の端部において胴差５を設け、さらに、２階の床パネル２上に２階の外壁パネル４を複数立設し、該外壁パネル４の上端部に屋根パネル６を複数敷き込むことで概略構成されている。
なお、屋根パネル６の軒先側の端部は、結合桁７を介して外壁パネル４の上端部に支持固定され、屋根パネル６,６の棟側の端部は結合棟木８を介して屋根梁９に支持固定されている。
【００２８】
そして、前記複数の外壁パネル４…によって建物の躯体を構成する外壁１４が形成され、また、複数枚の屋根パネル６…によって屋根１６が形成されている。前記外壁パネル４は、例えば図５に示すように、矩形枠状をなす枠体４ａと、この枠体４ａの表裏両面に貼設された面材４ｂ,４ｂを備えた構成されている。前記枠体４ａは、４本の桟材４ｃを枠状に組み立てることで構成されており、前記面材４ｂは合板または石膏ボードによって形成されている。なお、前記枠体４ａの内部には補強桟材４ｄが縦横に配設され、これによって枠体４ａを補強している。また、外壁パネル４,４どうしの接合および屋根パネル６,６どうしの接合は接着と釘打ちによって行われている。
【００２９】
前記外壁１４の上端部には、該上端部から前記建物の内側に向けて水平に張出してなる張出壁２０が、前記建物の平面視において環状に設けられている。前記張出壁２０は、複数の張出壁パネル２１…を環状に接合することで構成されたものであり、外壁１４の内面を囲むようにして設けられている。
前記張出壁パネル２１は、図４および図６に示すように、枠体２１ａとこの枠体２１ａの上下両面に貼設された面材２１ｂ,２１ｂとを備えて構成されたもので、前記枠体２１ａは桟材２１ｃを枠状に組み付けることで構成され、前記面材２１ｂは合板によって形成されている。なお、前記枠体２１ａ内には補強桟材２１ｄが設けられているが、この補強桟材２１ｄは設けなくてもよい。
【００３０】
前記張出壁パネル２１,２１どうしを接合するには、該パネル２１,２１の端面どうしを当接し、この当接部を接着や釘打ちによって接合することによって行われている。
また、前記張出壁パネル２１は、前記外壁パネル４にそれらの枠体２１ａ,４ａどうしを連結することで接合されている。
前記外壁パネルの枠体４ａと、張出壁パネル２１の枠体２１ａとを連結する場合、図４に示すように、外壁パネル４の上端部側面に、張出壁パネル２１の端面を当接してこれら当接部を接着剤によって接合するとともに、張出壁パネル２１の上面からその枠体２１ａを貫通して、外壁パネル４の枠体４ａまで釘２２を打ち込むことにより行われている。このような釘打ちは、張出壁パネル２１の長手方向に所定間隔で行われている。
【００３１】
このようにして、外壁パネル４に、前記張出壁パネル２１を接合するとともに、張出パネル２１,２１どうしを接合することによって、外壁１４に環状の張出壁２０を容易かつ強固に接合することができる。
また、前記張出壁パネル２１が矩形枠状をなす枠体２１ａと、この枠体２１ａの表裏両面に貼設された面材２１ｂ,２１ｂとを備えた構成であるので、張出壁パネル２１自体が十分な強度を有し、よって該張出壁パネル２１…によって構成された張出壁２０も十分な強度を有するものとなる。
【００３２】
そして、上記張出壁２０は外壁１４の上端部に環状に形成されているので、該張出壁２０の内側は開口となる。したがって、この開口によって屋根裏を吹き抜け空間とすることができる。
また、前記張出壁２０は外壁１４の内面において連続しているので、水平構面として機能し、これによって、水平方向に作用する外力に強く抗することになり、よって、地震等に対して強い建物となる。
【００３３】
また、前記屋根１６を構成する屋根パネル６は、図２および図４に示すように、矩形状をなす枠体６ａと、この枠体６ａの上面に貼設された面材６ｂとを備えており、該屋根パネル６の下面には石膏ボード２３が貼設されている。前記枠体６ａは、桟材を枠状に組み付けることによって構成され、面材６ｂは合板等によって形成されている。また、前記枠体６ａ内には補強桟材が縦横に配設され、これによって枠体６ａが補強されている。
このように、屋根パネル６の下面に石膏ボード２３を貼設することで、建物が防火上好ましい構造となるとともに、石膏ボード２３によって屋根パネル６の内部が覆われるので、屋根裏が吹き抜け空間となっても、該屋根パネル６を下方から見上げた際に見映えがよくなるという利点がある。
【００３４】
さらに、前記屋根パネル６の内部には、グラスウール等からなる断熱材２４が充填されている。このように、屋根パネル６の内部に断熱材２４を充填することで、屋根裏が吹き抜け空間となっても、屋根裏と建物外部との間の断熱効果を十分に得ることができる。
【００３５】
なお、上記の例では、張出壁２０の内側をすべて開口として、屋根裏を吹き抜け空間としたが、前記開口の一部に天井を形成して、屋根裏を吹き抜け空間としてもよい。
【００４９】
【発明の効果】
以上説明したように、本発明の請求項１の建物によれば、該建物の外壁の上端部に、該上端部から前記建物の内側に向けて水平に張出してなる張出壁を、前記建物の平面視において環状に設けたので、該張出壁の内側は開口となる。したがって、この開口によって屋根裏を吹き抜け空間とすることができる。また、前記張出壁は外壁の内面において連続しているので、水平構面として機能して、水平方向に作用する外力に強く抗することになり、よって、地震等に対して強い建物とすることができる。
【００５２】
請求項２の建物によれば、請求項１と同様の効果を得ることができるのは勿論のこと、複数の張出壁パネルを接合することで張出壁を容易に形成することができる。また、張出壁パネルを外壁の上端部に固定したので、環状の張出壁を外壁の上端部に容易に固定することができる。さらに、前記張出壁パネルが矩形枠状をなす枠体と、この枠体の表裏両面に貼設された面材とを備えた構成であるので、張出壁パネル自体が十分な強度を有し、よって該張出壁パネルによって構成された張出壁に十分な強度を持たせることができる。
【００５３】
請求項３の建物によれば、請求項２と同様の効果を得ることができるのは勿論のこと、外壁を構成する外壁パネルに、前記張出壁を構成する張出壁パネルをそれらの枠体どうしを連結することで接合したので、外壁に張出壁を強固に接合することができる。
【００５５】
請求項４の建物によれば、請求項１〜３のいずれかと同様の効果を得ることができるのは勿論のこと、前記屋根パネルの下面に石膏ボードを貼設したので、防火上好ましい構造とすることができる。また、石膏ボードによって屋根パネルの内部が覆われるので、屋根裏が吹き抜け空間となっても、該屋根パネルを下方から見上げた際の見映えをよいものとすることができる。
【００５６】
請求項５の建物によれば、請求項４と同様の効果を得ることができるのは勿論のこと、屋根パネルの内部に断熱材を充填したので、屋根裏が吹き抜け空間となっても、屋根裏と建物外部との間の断熱効果を十分に得ることができる。
【図面の簡単な説明】
【図１】本発明の建物の第１例を示すもので、該建物の概略構成を示す斜視図である。
【図２】同、建物の縦断面図である。
【図３】同、張出壁の平面図である。
【図４】同、張出壁を外壁に設け状態を示す要部の縦断面図である。
【図５】同、外壁パネルの斜視図である。
【図６】同、張出壁パネルの斜視図である。
【符号の説明】
４ 外壁パネル
４ａ 外壁パネルの枠体
４ｂ 外壁パネルの面材
６ 屋根パネル
６ａ 屋根パネルの枠体
６ｂ 屋根パネルの面材
１４ 外壁
１６ 屋根
２０ 張出壁
２１ 張出壁パネル
２１ａ 張出壁パネルの枠体
２１ｂ 張出壁パネルの面材
２３ 石膏ボード
２４ 断熱材
【図１】
0003854404.tif 000002
【図２】
0003854404.tif 000003
【図３】
0003854404.tif 000004
【図４】
0003854404.tif 000005
【図５】
0003854404.tif 000006
【図６】
0003854404.tif 000007